(57)【要約】      （修正有）【課題】映像信号出力部を複数有する場合でも、回路規模の増大を抑制可能な映像信号処理装置を提供する。【解決手段】映像信号処理装置１００は、映像信号を入力する第１入力部１０２および第２入力部１０４と、第１入力部からの映像信号が入力する第１端子１１０と、第２入力部からの映像信号が入力する第２端子１１１と、第１端子からの映像信号または第２端子からの映像信号を選択する選択部１１２、選択部が選択した映像信号を出力する第３端子１１３と、第２端子からの映像信号を第１端子に伝送する経路を導通または遮断することにより、第１端子が、第１入力部から映像信号が入力される入力端子として機能する状態と、第１端子、第２入力部からの映像信号を出力する出力端子として機能する状態とを切り替える切替部と、を有する集積回路１０９と、第１入力部からの映像信号または集積回路の第１端子からの映像信号を出力する第１出力部と、を有する。【選択図】図１
2015082719.tif 000002
【特許請求の範囲】
【請求項１】
映像信号が入力される第１入力部および第２入力部と、
前記第１入力部からの映像信号が入力される第１端子と、前記第２入力部からの映像信号が入力される第２端子と、前記第１端子からの映像信号または前記第２端子からの映像信号を選択する選択部と、前記選択部が選択した映像信号を出力する第３端子と、前記第２端子からの映像信号を前記第１端子に伝送する経路を導通または遮断することによって、前記第１端子が、前記第１入力部から映像信号が入力される入力端子として機能する状態と、前記第１端子が、前記第２入力部からの映像信号を出力する出力端子として機能する状態とを切り替える切替部と、を有する集積回路と、
前記第１入力部からの映像信号または前記集積回路の前記第１端子からの映像信号を出力する第１出力部と、を備える映像信号処理装置。
【請求項２】
前記切替部は、前記第１端子と前記第２端子との間に設けられ、自身の出力をハイインピーダンス状態にすることで前記経路を遮断する、請求項１に記載の映像信号処理装置。
【請求項３】
前記第３端子からの映像信号を出力する第２出力部、をさらに備える、請求項１または２に記載の映像信号処理装置。
【請求項４】
前記第１出力部に出力させる映像信号を示す選択信号に基づいて、前記切替部に前記経路を導通または遮断させる制御部、をさらに備える、請求項１ないし３のいずれか１項に記載の映像信号処理装置。
【請求項５】
前記制御部は、前記切替部に前記経路を導通させる場合、前記第１入力部の前記第１端子への映像信号の入力を停止させる、請求項４に記載の映像信号処理装置。
【請求項６】
前記集積回路は、
前記第１入力部からの映像信号が入力される第４端子と、
前記第４端子からの映像信号を出力する第５端子と、をさらに有し、
前記選択信号は、前記第３端子から出力させる映像信号をさらに示し、
前記制御部は、前記選択信号と前記映像信号の解像度とに基づいて、前記第１入力部が前記第１端子および前記第４端子に映像信号を入力するか否かをそれぞれ決定し、前記切替部に前記経路を導通または遮断させる、請求項４または５に記載の映像信号処理装置。
【請求項７】
前記制御部は、前記選択信号が、前記第１入力部に入力された映像信号を前記第３端子から出力させることを示すとき、前記第１入力部からの映像信号の解像度が所定の解像度以上である場合、前記第１入力部に前記映像信号を分割させて、当該分割された映像信号を前記第１端子および前記第４端子にそれぞれ入力させ、前記第１入力部からの映像信号の解像度が所定の解像度未満である場合、前記第１入力部からの前記映像信号を前記第４端子に入力させる、請求項６に記載の映像信号処理装置。
【請求項８】
前記集積回路に入力される映像信号は、パラレル信号である、請求項１ないし７のいずれか１項に記載の映像信号処理装置。
【発明の詳細な説明】
【技術分野】
【０００１】
本発明は、映像信号処理装置に関する。
【背景技術】
【０００２】
映像信号に対して映像信号処理を行う映像信号処理装置は、通常、映像信号が入力される入力部と、入力部に入力された映像信号に対して映像信号処理を行う集積回路と、集積回路にて映像信号処理が行われた映像信号を出力する出力部とを備えている。
【０００３】
映像信号を伝送する伝送規格には様々な種類があるため、映像信号処理装置には、複数の伝送規格のそれぞれに対応する複数の入力部が備わっていることがある。この場合、映像信号処理装置は、それらの入力部に入力された映像信号の中から、出力部が出力する映像信号を選択する選択回路を備えている（特許文献１参照）。
【０００４】
また、映像信号処理装置には、複数の出力部を備えているものもある。例えば、映像信号処理装置には、内部に備わった表示装置に映像信号を出力する出力部と、外部装置に映像信号を出力する出力部とを備えたものがある。
【先行技術文献】
【特許文献】
【０００５】
【特許文献１】特開２０１０−００８９３７号公報
【発明の概要】
【発明が解決しようとする課題】
【０００６】
映像信号処理装置が複数の入力部と複数の出力部とを有する場合、出力部ごとに、その出力部から出力する映像信号を各入力部に入力された映像信号の中から選択することができるようにすることが望ましい。しかしながら、この場合、映像信号処理装置は、出力部ごとに、各入力部に入力された映像信号の中から出力部が出力する映像信号を選択する選択回路を設ける必要があるため、回路規模が増大してしまうという問題があった。以下、この問題について図５および図６を参照して説明する。
【０００７】
図５は、複数の入力部と複数の出力部を有する映像信号処理装置の構成の一例を示すブロック図である。
【０００８】
図５に示される映像信号処理装置８００は、第１入力部８０１と、第２入力部８０２と、第１出力部８０３と、第２出力部８０４と、第１選択回路８０５と、集積回路８０６と、を有する。また、集積回路８０６は、第２選択回路８０７を有する。
【０００９】
第１入力部８０１および第２入力部８０２には、映像信号が入力され、第１入力部８０１および第２入力部８０２は、入力された映像信号を第１選択回路８０５および集積回路８０６に出力する。
【００１０】
第１選択回路８０５は、第１入力部８０１および第２入力部８０２から出力された映像信号を受け付け、それらの映像信号の一方を選択して第１出力部８０３に出力する。
【００１１】
第２選択回路８０７は、第１入力部８０１が出力した映像信号を、集積回路８０６の入力端子８０８を介して受け付け、第２入力部８０２が出力した映像信号を、集積回路８０６の入力端子８０９を介して受け付ける。第２選択回路８０７は、受け付けた映像信号の一方を選択して、集積回路８０６の出力端子８１０を介して第２出力部８０４に出力する。
【００１２】
このように映像信号処理装置８００では、出力部ごとに選択回路を設けるため、集積回路８０６の他に第１選択回路８０５を設けるスペースと、第１入力部８０１および第２入力部８０２からそれぞれ第１選択回路８０５および集積回路８０６に映像信号を入力する信号線を設けるスペースとが必要である。このため、回路規模が増大するという問題があった。特に、第１選択回路８０５に入力される映像信号がパラレル信号である場合、信号線は、パラレルで伝送される信号と同数必要であり、出力部ごとに選択回路を設けることで、回路規模が大きく増大する。
【００１３】
図５では、２つの選択回路のうちの一方が集積回路外に設けられていたが、２つの選択回路の両方を１つの集積回路内に設けることもできる。
【００１４】
図６は、２つの選択回路の両方を１つの集積回路内に設けた映像信号処理装置の構成の一例を示すブロック図である。
【００１５】
図６に示される映像信号処理装置９００は、第１入力部９０１と、第２入力部９０２と、第１出力部９０３と、第２出力部９０４と、集積回路９０５とを有する。また、集積回路９０５は、第１選択回路９０６と第２選択回路９０７とを有する。
【００１６】
第１入力部９０１および第２入力部９０２には、映像信号が入力され、第１入力部９０１および第２入力部９０２は、入力された映像信号を集積回路９０５に出力する。
【００１７】
第１選択回路９０６および第２選択回路９０７は、それぞれ第１入力部９０１が出力した映像信号を集積回路９０５の入力端子９０８を介して受け付け、第２入力部９０２が出力した映像信号を集積回路９０５の入力端子９０９を介して受け付ける。第１選択回路９０６は、受け付けた映像信号の一方を選択して、集積回路９０５の出力端子９１１を介して第１出力部９０３に出力する。また第２選択回路９０７は、受け付けた映像信号の一方を選択して、集積回路９０５の出力端子９１０を介して第２出力部９０４に出力する。
【００１８】
このように映像信号処理装置９００では、映像信号処理装置８００と比較すると、２つの選択回路が１つの集積回路９０５内に設けられている。このため、集積回路９０５の規模を変えずに第１選択回路９０６を集積回路９０５内に設けることができた場合には、第１選択回路９０６を設けるスペースを省略することができる。しかしながらこの場合、第１選択回路９０６が出力する映像信号を集積回路９０５外に出力する出力端子９１１が必要となり、集積回路９０５に設けられる入出力端子の数が増え、集積回路９０５の規模が増大してしまう。また、集積回路８０６周辺の信号線が複雑になり、集積回路８０６周辺の回路規模も増大してしまう。このため、２つの選択回路の両方を集積回路９０５内に設けるだけでは、回路規模の増大を十分に抑制することはできなかった。
【００１９】
本発明の目的は、映像信号を出力する出力部を複数有する場合であっても、回路規模の増大を抑制することが可能な映像信号処理装置を提供することである。
【課題を解決するための手段】
【００２０】
本発明による映像信号処理装置は、
映像信号が入力される第１入力部および第２入力部と、
前記第１入力部からの映像信号が入力される第１端子と、前記第２入力部からの映像信号が入力される第２端子と、前記第１端子からの映像信号または前記第２端子からの映像信号を選択する選択部と、前記選択部が選択した映像信号を出力する第３端子と、前記第２端子からの映像信号を前記第１端子に伝送する経路を導通または遮断することによって、前記第１端子が、前記第１入力部から映像信号が入力される入力端子として機能する状態と、前記第１端子が、前記第２入力部からの映像信号を出力する出力端子として機能する状態とを切り替える切替部と、を有する集積回路と、
前記第１入力部からの映像信号または前記集積回路の前記第１端子からの映像信号を出力する第１出力部と、を有する。
【発明の効果】
【００２１】
本発明によれば、映像信号を出力する出力部を複数有する場合であっても、回路規模の増大を抑制することが可能である。
【図面の簡単な説明】
【００２２】
【図１】本発明の第１の実施形態にかかる表示装置の構成を示すブロック図である。
【図２】同実施形態にかかる表示装置の出力切替動作を説明するためのフローチャートである。
【図３】本発明の第２の実施形態にかかる表示装置の構成を示すブロック図である。
【図４】同実施形態にかかる表示装置の出力切替動作を説明するためのフローチャートである。
【図５】本発明に関連する技術を用いた映像信号処理装置の構成例を示すブロック図である。
【図６】本発明に関連する技術を用いた映像信号処理装置の他の構成例を示すブロック図である。
【発明を実施するための形態】
【００２３】
以下、本発明の実施形態について添付の図面を参照して説明する。なお、本明細書および図面において、同一の機能を有する構成要素については同じ符号を付することにより重複説明を省略する場合がある。
【００２４】
（第１の実施形態）
図１は、本発明の第１の実施形態にかかる表示装置１００の構成を示すブロック図である。
【００２５】
表示装置１００は、入力された映像信号を処理する映像信号処理装置であり、第１入力端子１０１と、映像信号受信部１０２と、第２入力端子１０３と、ＡＤ（Ａｎａｌｏｇ  Ｄｉｇｉｔａｌ）コンバータ部１０４とを有する。また、表示装置１００は、映像信号送信部１０５と、出力端子１０６と、スケーラ部１０７と、表示部１０８と、集積回路部１０９と、制御部１２０とをさらに有する。
【００２６】
第１入力端子１０１は、例えばＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）／Ｄｉｓｐｌａｙ  Ｐｏｒｔ／ＤＶＩ（Ｄｉｇｉｔａｌ  Ｖｉｓｕａｌ  Ｉｎｔｅｒｆａｃｅ）などの規格に従ったシリアルのデジタル映像信号を外部装置（図示せず）から受けて映像信号受信部１０２に出力する。以下、第１入力端子１０１を介して表示装置１００に入力された映像信号を第１映像信号と呼ぶこともある。
【００２７】
映像信号受信部１０２は、第１入力端子１０１が出力した映像信号を受け付け、この映像信号に対する受信処理を行い、この受信処理後の映像信号を出力する。なお、映像信号受信部１０２は、第１入力部と呼ばれることもある。また、例えば、映像信号がシリアルのデジタル映像信号の場合、映像信号受信部１０２は、受信処理として、シリアルの映像信号をパラレルの映像信号に変換する処理を行う。
【００２８】
なお、映像信号受信部１０２は、ノードＮを介して映像信号送信部１０５および集積回路部１０９とそれぞれ接続されている。そして、映像信号受信部１０２から映像信号送信部１０５に映像信号を伝送する経路は、映像信号受信部１０２から集積回路部１０９に映像信号を伝送する経路と、ノードＮまで共通化されており、ノードＮから分岐している。
【００２９】
例えば、デジタル映像信号がＲ，Ｇ，Ｂの映像信号からなり、それぞれ８ビットのパラレルのデジタル映像信号に変換された場合、映像信号受信部１０２は、映像信号送信部１０５および集積回路部１０９と３×８＝２４本の信号線を用いて接続される。以下、簡単のため、接続される信号線を１本だけ示して説明するが、接続される信号線が複数の場合も同様である。また、この信号線が接続される端子は、複数の信号線がそれぞれ接続される端子の集合である端子群としてもよい。
【００３０】
また、映像信号受信部１０２は、制御部１２０からの制御信号に応じて、映像信号受信部１０２の出力を、入力された映像信号に応じた信号を出力する出力状態と、映像信号を出力しないハイインピーダンス状態とを切り替える機能を備えている。ここで、ハイインピーダンス状態とは、例えばノードＮからみた映像信号受信部１０２のインピーダンスが高い状態である。出力をハイインピーダンス状態にすることで、映像信号受信部１０２は、第１端子１１０への映像信号の入力を停止することができる。
【００３１】
第２入力端子１０３は、アナログ映像信号を外部装置（図示せず）から受けて出力する。なお、以下、第２入力端子１０３を介して表示装置１００に入力された映像信号を第２映像信号と呼ぶこともある。
【００３２】
ＡＤコンバータ部１０４は、第２入力端子１０３からのアナログ映像信号を受け、このアナログ映像信号をパラレルのデジタル映像信号に変換し、変換後のデジタル映像信号を出力する。例えば、アナログ映像信号がＲ，Ｇ，Ｂの映像信号からなり、それぞれ８ビットのパラレルのデジタル映像信号に変換された場合、映像信号受信部１０２は、集積回路部１０９と３×８＝２４本の信号線を用いて接続される。ＡＤコンバータ部１０４は、第２入力部と呼ばれることもある。
【００３３】
映像信号送信部１０５は、映像信号受信部１０２からの映像信号、または集積回路部１０９からの映像信号を受け付けて、受け付けた映像信号を出力端子１０６が対応している規格に合わせて変換して、変換後の映像信号を出力する第１出力部である。具体的には、映像信号送信部１０５は、受け付けたパラレルのデジタル映像信号を、ＨＤＭＩ／Ｄｉｓｐｌａｙ  Ｐｏｒｔ／ＤＶＩなどの規格に従ったシリアルのデジタル映像信号に変換する。
【００３４】
スケーラ部１０７は、集積回路部１０９からの映像信号を受け付けて、その受け付けた映像信号が示す画像を、例えば、表示部１０８の解像度に合わせて拡大または縮小するスケーリング処理を行う。スケーラ部１０７は、第２出力部とも呼ばれ、スケーリング処理後の映像信号を出力する。
【００３５】
表示部１０８は、表示素子や、表示素子を駆動する駆動部などを含み、スケーラ部１０７からの映像信号を受け付けて、その受け付けた映像信号に応じた画像を表示する。具体的には、表示部１０８は、表示素子として、液晶パネルを用いた液晶ディスプレイ、または表示素子として有機ＥＬ（ＥｌｅｃｔｒｏＬｕｍｉｎｅｓｃｅｎｃｅ）パネルを用いた有機ＥＬディスプレイなどである。また、表示部１０８は、表示素子としてＤＭＤ（Ｄｉｇｉｔａｌ  Ｍｉｃｒｏｍｉｒｒｏｒ  Ｄｅｖｉｃｅ）パネルを用いたＤＬＰ（Ｄｉｇｉｔａｌ  Ｌｉｇｈｔ  Ｐｒｏｃｅｓｓｉｎｇ）プロジェクタなどであってもよい。
【００３６】
集積回路部１０９は、ＦＰＧＡ（Ｆｉｅｌｄ  Ｐｒｏｇｒａｍｍａｂｌｅ  Ｇａｔｅ  Ａｒｒａｙ）またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などである。集積回路部１０９は、第１端子１１０と、第２端子１１１と、選択回路１１２と、第３端子１１３と、スリーステートバッファ１１４と、を有する。
【００３７】
第１端子１１０は、映像信号受信部１０２からの映像信号が入力される入力端子、または、第２端子１１１からの映像信号を出力する出力端子として機能する双方向端子である。第１端子１１０は、映像信号受信部１０２から映像信号送信部１０５に映像信号を伝送する経路上のノードＮに接続されており、第１端子１１０とノードＮの間は双方向ラインで接続されている。このため、第１端子１１０は、第２端子１１１からの映像信号を映像信号送信部１０５に入力することができる。
【００３８】
第２端子１１１は、ＡＤコンバータ部１０４からの映像信号が入力される入力端子である。第２端子１１１からの映像信号は、スリーステートバッファ１１４および選択回路１１２にそれぞれ入力される。
【００３９】
選択回路１１２は、第１端子１１０からの映像信号または第２端子１１１からの映像信号を選択する選択部である。具体的には、選択回路１１２は、制御部１２０からの制御信号を受け付け、この制御信号に応じて、表示部１０８に表示させる映像信号を選択する。選択回路１１２は、第１端子１１０および第２端子１１１のうち、選択した映像信号が入力される入力端子を第３端子１１３と導通させる。
【００４０】
第３端子１１３は、スケーラ部１０７に映像信号受信部１０２からの映像信号またＡＤコンバータ部１０４からの映像信号を出力する出力端子である。第３端子１１３は、第１端子１１０または第２端子１１１のうち選択回路１１２により選択された端子と導通されるため、第１端子１１０からの映像信号または第２端子１１１からの映像信号をスケーラ部１０７に出力することになる。
【００４１】
スリーステートバッファ１１４は、第１端子１１０および第２端子１１１の間に配置され、自身の出力をハイインピーダンス状態またはローインピーダンス状態にすることで、第１端子１１０および第２端子１１１の間の経路を導通または遮断する。具体的には、スリーステートバッファ１１４の制御入力は制御部１２０と接続されている。そして、スリーステートバッファ１１４は、制御部１２０からの制御信号に応じて、第２端子１１１からの映像信号を第１端子１１０に伝送する経路を導通または遮断し、出力をハイインピーダンス状態にすることで、上記経路を遮断する。これにより、スリーステートバッファ１１４が第２端子１１１からの映像信号を第１端子１１０に伝送する経路を導通するとき、第１端子１１０は、出力端子として機能する。また、スリーステートバッファ１１４が第２端子１１１からの映像信号を第１端子１１０に伝送する経路を遮断するとき、第１端子１１０は、入力端子として機能することができる。したがって、スリーステートバッファ１１４は、第２端子１１１からの映像信号を第１端子１１０に伝送する経路を導通または遮断することによって、第１端子１１０が入力端子として機能する状態と、第１端子１１０が力端子として機能する状態とを切り替える切替部である。
【００４２】
なお、簡単のため省略したが、集積回路部１０９は、選択回路１１２が出力した第１映像信号または第２映像信号に対して、各種の映像信号処理を行うための構成を含む。集積回路部１０９が行う映像信号処理の一例としては、映像信号の増幅などが挙げられる。
【００４３】
制御部１２０は、表示装置１００を制御する。本実施形態では、制御部１２０は、図示しない操作部がユーザの操作に応じた操作信号を検出すると、検出された操作信号に基づいて、映像信号受信部１０２および集積回路部１０９などに制御信号を出力する。
【００４４】
具体的には、映像信号送信部１０５およびスケーラ部１０７に出力させる映像信号を選択する操作信号を操作部（図示せず）が検出すると、制御部１２０は、検出された操作信号に応じて、映像信号送信部１０５およびスケーラ部１０７に出力させる映像信号を示す選択信号を生成する。そして制御部１２０は、この選択信号に応じて、映像信号受信部１０２、集積回路部１０９のスリーステートバッファ１１４、および選択回路１１２に制御信号を出力する。
【００４５】
映像信号送信部１０５に映像信号受信部１０２からの映像信号を出力させる場合、制御部１２０は、スリーステートバッファ１１４の出力をハイインピーダンス状態にさせることで、第１端子１１０と第２端子１１１との間の経路を遮断させ、映像信号受信部１０２の出力をオンにさせる。
【００４６】
また、映像信号送信部１０５に集積回路部１０９からの映像信号を出力させる場合、制御部１２０は、スリーステートバッファ１１４に第１端子１１０と第２端子１１１との間の経路を導通させ、映像信号受信部１０２の出力をオフにして停止させる。
【００４７】
このように、スリーステートバッファ１１４の状態に応じて、映像信号受信部１０２の出力をオンまたはオフにすることで、第１端子１１０と接続された双方向ライン部において、スリーステートバッファ１１４の出力と映像信号受信部１０２の出力とが互いに影響することを防止することができる。
【００４８】
また、スケーラ部１０７に映像信号受信部１０２からの映像信号を出力させる場合、制御部１２０は、選択回路１１２に、第３端子１１３を第１端子１１０と導通させる。またスケーラ部１０７にＡＤコンバータ部１０４からの映像信号を出力させる場合、制御部１２０は、選択回路１１２に、第３端子１１３を第２端子１１１と導通させる。
【００４９】
図２は、本発明の第１の実施形態にかかる表示装置１００の出力切替動作を説明するためのフローチャートである。
【００５０】
制御部１２０は、表示部１０８および出力端子１０６に出力する映像信号を切り替える出力切替操作が検出されたか否かを判断する（ステップＳ１００）。
【００５１】
出力切替操作が検出された場合、制御部１２０は、出力切替操作に応じて選択された、表示部１０８に出力する映像信号が、第１映像信号であるか第２映像信号であるかを判断する（ステップＳ１０５）。
【００５２】
表示部１０８に出力する映像信号が第１映像信号である場合、制御部１２０は、選択回路１１２に第３端子１１３を第１端子１１０に導通させる（ステップＳ１１０）。そして制御部１２０は、スリーステートバッファ１１４をハイインピーダンス状態として、第１端子１１０と第２端子１１１との間の経路を遮断させ、映像信号受信部１０２に出力をオンにさせる（ステップＳ１１５）。これにより、第１端子１１０は、映像信号受信部１０２からの映像信号が入力される入力端子として機能する。
【００５３】
一方、表示部１０８に出力する映像信号が第２映像信号である場合、制御部１２０は、選択回路１１２に第３端子１１３を第２端子１１１に導通させる（ステップＳ１２０）。
【００５４】
続いて制御部１２０は、出力切替操作に応じて選択された、出力端子１０６に出力する映像信号が第１映像信号であるか第２映像信号であるかを判断する（ステップＳ１２５）。
【００５５】
出力端子１０６に出力する映像信号が第１映像信号である場合、制御部１２０は、ステップＳ１１５の処理を実行する。
【００５６】
一方、出力端子１０６に出力する映像信号が第２映像信号である場合、制御部１２０は、スリーステートバッファ１１４をローインピーダンス状態にして、第１端子１１０と第２端子１１１との間の経路を導通させ、映像信号受信部１０２に出力をオフにさせる（ステップＳ１３０）。これにより、第１端子１１０は、第２端子１１１からの映像信号を出力する出力端子として機能する。
【００５７】
以上説明したように、本実施形態によれば、表示装置１００は、映像信号が入力される映像信号受信部１０２およびＡＤコンバータ部１０４と、集積回路部１０９と、映像信号受信部１０２からの映像信号または集積回路部１０９からの映像信号を出力する映像信号送信部１０５とを有する。そして集積回路部１０９は、映像信号受信部１０２からの映像信号が入力される第１端子１１０と、ＡＤコンバータ部１０４からの映像信号が入力される第２端子１１１とを有する。また、集積回路部１０９は、第１端子１１０からの映像信号または第２端子１１１からの映像信号を選択する選択回路１１２と、選択回路１１２が選択した映像信号を出力する第３端子１１３と、第２端子１１１からの映像信号を第１端子１１０に伝送する経路を導通または遮断するスリーステートバッファ１１４とを有する。このスリーステートバッファ１１４は、上記経路を導通または遮断することによって、第１端子１１０が、映像信号受信部１０２から映像信号が入力される入力端子として機能する状態と、第１端子１１０が、ＡＤコンバータ部１０４からの映像信号を出力する出力端子として機能する状態とを切り替える。
【００５８】
これにより、集積回路部１０９に対して、映像信号受信部１０２からの映像信号が入力される入力端子と、ＡＤコンバータ部１０４からの映像信号を集積回路部１０９から出力する出力端子とが、１つの第１端子１１０で構成される。このため、集積回路部１０９の入出力端子数を増大させることなく、映像信号送信部１０５に出力する映像信号を選択するための構成を全て集積回路部１０９内に設けることができる。したがって、出力部を複数有する場合であっても、回路規模の増大を抑制することが可能になる。
【００５９】
また、集積回路部１０９に入力される映像信号がパラレル信号である場合、映像信号を伝送する配線および集積回路部１０９の入出力端子は、それぞれ並列に伝送される信号の数と同数必要である。このため、映像信号がパラレル信号である場合には、回路規模の増大を抑制する効果が大きい。
【００６０】
（第２の実施形態）
図３は、本発明の第２の実施形態にかかる表示装置２００の構成を示すブロック図である。
【００６１】
表示装置２００は、第１入力端子２０１と、映像信号受信部２０２と、第２入力端子２０３と、ＡＤコンバータ部２０４と、映像信号送信部２０５と、出力端子２０６と、スケーラ部２０７と、表示部２０８と、集積回路部２０９と、制御部２２０とを有する映像信号処理装置である。
【００６２】
表示装置２００の各部は、表示装置１００の各部と対応するものである。具体的には、第１入力端子２０１、映像信号受信部２０２、第２入力端子２０３、およびＡＤコンバータ部２０４は、第１入力端子１０１、映像信号受信部１０２、第２入力端子１０３、およびＡＤコンバータ部１０４のそれぞれと同等の機能を有する。また、映像信号送信部２０５、出力端子２０６、スケーラ部２０７、表示部２０８、集積回路部２０９、および制御部２２０は、それぞれ、映像信号送信部１０５、出力端子１０６、スケーラ部１０７、表示部１０８、集積回路部１０９、および制御部１２０と同等の機能を有する。
【００６３】
以下、表示装置１００と共通する機能については説明を省略し、表示装置１００との差異について主に説明する。
【００６４】
表示装置２００は、表示装置１００の構成に加えて、第１映像信号を２層で伝送するための構成を有する。具体的には、集積回路部２０９は、集積回路部１０９の構成に加えて、映像信号受信部２０２からの映像信号が入力される第４端子２１５と、スケーラ部２０７に映像信号を出力する第５端子２１６とを有する。
【００６５】
これにより、第１映像信号が映像信号受信部２０２からスケーラ部２０７に入力される経路が２つになる。１層目の経路は、第４端子２１５および第５端子２１６を介してスケーラ部２０７に入力される経路であり、２層目の経路は、第１端子２１０および第３端子２１３を介してスケーラ部２０７に入力される経路である。
【００６６】
そして映像信号受信部２０２は、制御部２２０からの指示に従って、１層目の経路および２層目の経路の少なくともいずれかを用いて、スケーラ部２０７に第１映像信号を出力することができる。制御部２２０は、映像信号受信部２０２からの映像信号の解像度に基づいて、映像信号受信部２０２が第１端子２１０および第４端子２１５に映像信号を入力するか否かをそれぞれ決定する。具体的には、制御部２２０は、映像信号受信部２０２からの映像信号が所定の解像度以上である場合、映像信号受信部２０２に映像信号を分割させて、分割された映像信号を第１端子２１０および第４端子２１５に入力させる。また、制御部２２０は、映像信号受信部２０２からの映像信号が所定の解像度未満である場合、映像信号受信部２０２に映像信号を第４端子２１５に入力させる。
【００６７】
また、スケーラ部２０７は、第３端子２１３および第５端子２１６から２層に分割して入力された第１映像信号が出力された場合、その２層の第１映像信号に対してそれぞれスケーリング処理を行う。表示部２０８は、スケーラ部２０７から２層の第１映像信号が出力された場合、その２層の第１映像信号に応じた画像を表示することができる。この場合、それぞれの経路で処理する映像信号のデータ量が減るため、クロック周波数を低減させることが可能になる。
【００６８】
図４は、本発明の第２の実施形態にかかる表示装置２００の出力切替動作を説明するためのフローチャートである。
【００６９】
制御部２２０は、表示部２０８および出力端子２０６に出力する映像信号を切り替える出力切替操作が検出されたか否かを判断する（ステップＳ２００）。
【００７０】
出力切替操作が検出された場合、制御部２２０は、出力切替操作に応じて選択された、表示部２０８に出力する映像信号が第１映像信号であるか第２映像信号であるかを判断する（ステップＳ２０５）。
【００７１】
表示部２０８に出力する映像信号が第１映像信号である場合、制御部２２０は、第３端子２１２に第３端子２１３を第１端子２１０と導通させる（ステップＳ２１０）。
【００７２】
続いて制御部２２０は、第１映像信号の解像度が閾値以上であるか否かを判断する（ステップＳ２１５）。
【００７３】
第１映像信号の解像度が閾値以上である場合、制御部２２０は、映像信号受信部２０２に第１映像信号を分割させる（ステップ２２０）。そして制御部２２０は、スリーステートバッファ２１４をハイインピーダンス状態にして第１端子２１０と第２端子２１１との間の経路を遮断させ、映像信号受信部２０２の出力をオンにさせる（ステップＳ２２５）。
【００７４】
一方、表示部２０８に出力する映像信号が第２映像信号である場合、制御部２２０は、第３端子２１２に第３端子２１３を第２端子２１１と導通させる（ステップＳ２３０）。
【００７５】
そして制御部２２０は、ステップＳ２３０の処理を実行した後、および、ステップＳ２１５で第１映像信号の解像度が閾値未満である場合、続いて、出力端子２０６から出力する映像信号が第１映像信号であるか第２映像信号であるかを判断する（ステップＳ２３５）。
【００７６】
出力端子２０６から出力する映像信号が第１映像信号である場合、制御部２２０は、ステップＳ２２５の処理を実行する。一方、出力端子２０６から出力する映像信号が第２映像信号である場合、制御部２２０は、スリーステートバッファ２１４をローインピーダンス状態にして第１端子２１０と第２端子２１１との間の経路を導通させ、映像信号受信部２０２の出力をオフにさせる（ステップＳ２４０）。
【００７７】
以上説明したように、本実施形態おいても、集積回路部２０９に対して、映像信号受信部２０２からの映像信号が入力される入力端子と、ＡＤコンバータ部２０４からの映像信号を集積回路部２０９から出力する出力端子とが、１つの第１端子２１０に集約される。このため、集積回路部２０９の入出力端子数を増大させることなく、映像信号送信部２０５に出力する映像信号を選択するための構成を集積回路部２０９内に設けることができる。したがって、出力部を複数有する場合であっても、回路規模の増大を抑制することが可能になる。
【００７８】
また、集積回路部２０９に入力される映像信号がパラレル信号である場合、映像信号を伝送する配線および集積回路部２０９の入出力端子は、それぞれ並列に伝送される信号の数と同数必要である。このため、映像信号がパラレル信号である場合には、回路規模の増大を抑制する効果が大きい。
【００７９】
また、本実施形態によれば、集積回路部２０９は、第１入力部である映像信号受信部２０２から第１映像信号が入力される第４端子２１５および第４端子２１５に入力された第１映像信号を第１出力部であるスケーラ部２０７に出力する第５端子２１６をさらに有する。これにより、第１映像信号を分割し、２つの経路でスケーラ部２０７に出力することが可能になる。２つの経路を用いて第１映像信号をスケーラ部２０７に出力する場合、それぞれの経路で処理する映像信号のデータ量を減らすことができるため、第１映像信号の解像度が大きい場合であっても、クロック周波数を低減させることが可能になる。
【００８０】
また、本実施形態によれば、映像信号受信部２０２がスケーラ部２０７に第１映像信号を出力する経路が２つあるため、２層の経路を用いた第１映像信号の出力を行っているとき以外は、表示部２０８に出力する映像信号が第１映像信号であるか第２映像信号であるかに関わらず、任意の映像信号を映像信号送信部２０５に出力することが可能になる。
【００８１】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００８２】
例えば、上記実施形態では、ユーザの出力切替操作に応じて操作信号が生成され、この操作信号に基づいて、選択回路１１２，２１４およびスリーステートバッファ１１４，２１３の状態を切り替えることとしたが、本発明はかかる例に限定されない。例えば、第１入力端子１０１，２０１または第２入力端子１０３，２０３に外部装置が接続されたことを検出すると、この検出情報に基づいて操作信号が生成されてもよい。
【００８３】
また、上記実施形態では、映像信号処理装置の一例として表示装置を挙げ、第１出力部が表示部に映像信号を出力するスケーラ部であり、第２出力部が外部装置への出力端子へ映像信号を出力する映像信号送信部である場合について説明したが、本発明はかかる例に限定されない。例えば映像信号処理装置は、第１出力部および第２出力部が共に表示部に映像信号を出力するスケーラ部などであってもよい。また映像信号処理装置は、第１出力部および第２出力部が共に外部装置への出力端子へ映像信号を出力する映像信号送信部などであってもよい。
【００８４】
また、上記第１の実施形態では、スケーラ部１０７は集積回路部１０９とは別の回路であることとしたが、本発明はかかる例に限定されない。例えば、スケーラ部１０７は、集積回路部１０９内に設けられてもよい。この場合、表示部１０８が備える駆動部を第２出力部とすることができる。なお、第２の実施形態におけるスケーラ部２０７についても同様である。
【００８５】
また、上記実施形態では、第１出力部である映像信号送信部１０５および映像信号送信部２０５は、受け付けたパラレルのデジタル映像信号を、ＨＤＭＩ／Ｄｉｓｐｌａｙ  Ｐｏｒｔ／ＤＶＩなどの規格に従ったシリアルのデジタル映像信号に変換して出力したが、本発明はかかる例に限定されない。例えば、映像信号送信部１０５および映像信号送信部２０５は、受け付けたパラレルのデジタル映像信号を、アナログ映像信号に変換して出力してもよい。
【００８６】
また、上記実施形態では、第１入力部が、デジタル映像信号を受信し、第２入力部が、アナログ映像信号を受け付けることとしたが、本発明はかかる例に限定されない。例えば、第１入力部および第２入力部共にデジタル映像信号を受信してもよいし、第１入力部および第２入力部共にアナログ映像信号を受け付けてもよい。また、ＡＤコンバータ部１０４およびＡＤコンバータ部２０４は、集積回路部１０９または集積回路部２０９内に設けられてもよい。この場合、第２入力端子１０３および第２入力端子２０３を第２入力部とすることができる。
【００８７】
なお、上記実施形態では、第２端子１１１から第１端子１１０に映像信号を伝送する経路を遮断する切替部として、出力をハイインピーダンス状態にして信号を遮断するスリーステートバッファを用いたが、本発明はかかる例に限定されない。例えば、上記経路を物理的に遮断（切断）するスイッチなどを用いることもできる。
【００８８】
また、上記の各実施形態で示した表示装置１００および表示装置２００の各部の間には、種々の回路が備わっていてもよい。
【符号の説明】
【００８９】
１００，２００      表示装置
１０１，２０１      第１入力端子
１０２，２０２      映像信号受信部（第１入力部）
１０３，２０３      第２入力端子
１０４，２０４      ＡＤコンバータ部（第２入力部）
１０５，２０５      映像信号送信部（第１出力部）
１０６，２０６      出力端子
１０７，２０７      スケーラ部（第２出力部）
１０８，２０８      表示部
１０９，２０９      集積回路部
１１０，２１０      第１端子
１１１，２１１      第２端子
１１２，２１２      選択回路
１１３，２１３      第３端子
１１４，２１４      スリーステートバッファ
２１５              第４端子
２１６              第５端子
１２０，２２０      制御部
【図１】
2015082719.tif 000003
【図２】
2015082719.tif 000004
【図３】
2015082719.tif 000005
【図４】
2015082719.tif 000006
【図５】
2015082719.tif 000007
【図６】
2015082719.tif 000008